(57)【要約】      （修正有）【課題】個性的であるとともに、贈られる者に贈答者の気持ちを伝え、結婚式等の想い出が心に強く残る贈答品容器を提供する。【解決手段】菓子を収納する菓子容器２と、立体模型３を収納する模型容器４とを結束材７により結合した贈答品容器１とする。また、菓子容器２と模型容器４とを略同一の大きさとし、模型容器４の全体または一部を透明部材５により製作する。さらに、模型容器４に収納される立体模型３は、紙または合成樹脂材料からなる平板に切り込みを設けて折り曲げることにより立体的形状を形成する。【選択図】図１
0003118869.tif 000002
【実用新案登録請求の範囲】
【請求項１】
菓子を収納する菓子容器と、立体模型を収納する模型容器とを結合したことを特徴とする贈答品容器。
【請求項２】
前記菓子容器と前記模型容器とを結束材により結合したことを特徴とすることを特徴とする請求項１記載の贈答品容器。
【請求項３】
前記模型容器の全体または一部が透明部材からなることを特徴とする請求項１または２記載の贈答品容器。
【請求項４】
前記菓子容器と前記模型容器とが略同一の大きさであることを特徴とする請求項１〜３のいずれか１項に記載の贈答品容器。
【請求項５】
前記模型容器に収納される立体模型は、平板に切り込みを設けて折り曲げることにより立体的形状が形成されることを特徴とする請求項１〜４のいずれか１項に記載の贈答品容器。
【請求項６】
前記平板が紙または合成樹脂材料からなることを特徴とする請求項５記載の贈答品容器。
【考案の詳細な説明】
【技術分野】
【０００１】
本考案は、贈答品容器に関するものであり、好適には結婚式などの引き出物を収納する贈答品容器に関する。
【背景技術】
【０００２】
従来、結婚式や葬式等の慶弔事に際し、主催者はその慶弔事の出席者に対して引き出物等を贈答している。贈答品としては菓子類が用いられることが多いが、結婚式の引き出物は単に菓子等を収納可能な容器に詰めて提供されている場合が多かった。もちろん結婚式の引き出物を収納する容器には、たとえば「寿」等の文字が印字され、ある程度の装飾が施されて見栄えが良いようにされてはいた。それでも、画一的でありふれた装飾であることから、贈られた者にとって印象深いものではなかった。
【０００３】
このような事情から、結婚式の引き出物等を収納する容器の中には、容器の表面に切り抜き窓を設け、この切り抜き窓の裏側に新郎新婦の写真を貼り付け、表面から新郎新婦の写真が見えるようにして、贈答品を贈られる者に好印象を与えるように工夫されたものもある（例えば、特許文献１参照）。
【特許文献１】登録実用新案第３０３１３３４号公報
【考案の開示】
【考案が解決しようとする課題】
【０００４】
しかし、従来の結婚式の引き出物を収納する容器は、単に見栄え良くデザインされたものがほとんどであり、贈答者の気持ちを贈られる者に伝え、幸福な瞬間を後々まで記憶に残すような容器は少ない。例えば収納容器の表面に「寿」等の文字が印字されたものでは、単に慶事の贈答品をイメージさせることはできても、オリジナリティに欠けることから贈答品を贈られる者に強い感動を与えることは望むべくもなかった。
【０００５】
また、容器の表面に切り抜き窓を設け、この切り抜き窓の裏側に新郎新婦の写真を貼り付け、表面から新郎新婦の写真が見えるようにしたものであっても、写真はしょせん二次元的なものに過ぎず、遊び心に欠け意外性もない。その結果、贈答品を贈られる者に深い感動を与えることはできなかった。
【０００６】
本考案は、このような事情に鑑みてなされたものであり、個性的であるとともに、贈られる者に贈答者の気持ちを伝え、結婚式等の想い出が心に強く残る贈答品容器を提供することを課題とする。
【課題を解決するための手段】
【０００７】
請求項１記載の考案は、菓子を収納する菓子容器と、立体模型を収納する模型容器とを結合したことを特徴とする贈答品容器である。
【０００８】
請求項２記載の考案は、請求項１記載の贈答品容器において、前記菓子容器と前記模型容器とを結束材により結合したことを特徴とすることを特徴とするものである。
【０００９】
請求項３記載の考案は、請求項１または２記載の贈答品容器において、前記模型容器の全体または一部が透明部材からなることを特徴とするものである。
【００１０】
請求項４記載の考案は、請求項１〜３のいずれか１項に記載の贈答品容器において、前記菓子容器と前記模型容器とが略同一の大きさであることを特徴とするものである。
【００１１】
請求項５記載の考案は、請求項１〜４のいずれか１項に記載の贈答品容器において、前記模型容器に収納される立体模型は、平板に切り込みを設けて折り曲げることにより立体的形状が形成されることを特徴とするものである。
【００１２】
請求項６記載の考案は、請求項５記載の贈答品容器において、前記平板が紙または合成樹脂材料からなることを特徴とするものである。
【考案の効果】
【００１３】
本考案における請求項１の贈答品容器によれば、模型容器内に慶弔事に関連する立体模型が収納されているので、贈られる者に贈答者の気持ちを伝え、結婚式等の想い出が心に強く残る贈答品容器を提供することができる。また、使用後のリサイクルも容易である。
【００１４】
本考案における請求項２の贈答品容器によれば、結束材により結合する前においては菓子容器と模型容器を別々に取り扱うことができる。一方、菓子容器と模型容器を結束材により結合した後においては、結束材の結び目により装飾的効果を奏することができる。さらに、贈られた後においても立体模型を模型容器に収納したまま単独で展示したり、保管保存することができる。
【００１５】
本考案における請求項３の贈答品容器によれば、模型容器の全部または一部が透明部材からなるので、模型容器の外部からも立体模型を視認できる。
【００１６】
本考案における請求項４の贈答品容器によれば、菓子容器と模型容器とが略同一の大きさであることから結束材による結合が容易であるとともに、結合後の美観においてもバランス感覚に優れる。
【００１７】
本考案における請求項５の贈答品容器によれば、平板に切り込みを設けて折り曲げることにより立体模型が形成されるので、平板資材の節約が図られ、製作および組立費用を安価に抑制することができる。また、切り込みを設けた平板を折り曲げる前においては専有容積が小さくて済むことから、保管スペースの節約にも寄与することができる。
【００１８】
本考案における請求項６の贈答品容器によれば、立体模型が形成される平板が紙または合成樹脂材料からなるので、軽量かつ製作が容易で、しかもコストパフォーマンスに優れた贈答品容器を実現できる。
【考案を実施するための最良の形態】
【００１９】
以下、本考案を実施するための形態について、図面に基づいて説明する。図１は、本考案の第一実施例を示す斜視図である。本考案の贈答品容器１は、引き出物としての菓子を収納する菓子容器２と、紙細工等からなる立体模型３を収納する模型容器４とを結合したものである。
【００２０】
菓子容器２は結婚式の引き出物として多用される菓子を収納するものであり、主として段ボール紙により製作される。もちろん段ボール紙といっても表面には化粧紙が貼られ、図１では省略しているが、外面には慶弔事にふさわしい色彩や模様が付されている。また、菓子容器２の形状は立方体形状や直方体形状に限られるものではなく、平面視が５角形や６角形などの多角形のものとすることもできる。
【００２１】
模型容器４は立体模型３を収納するためのものであり、内部の立体模型３が外部から視認可能なように、その全部または一部が透明部材５を用いて製作される。透明部材５としてはプラスチックなど合成樹脂材料が用いられるが、ここでいう透明部材５は無色透明に限られるものではなく、色付き透明部材や半透明部材も含まれる。また、模型容器４の周囲の面の一部を意図的に非透明とすべく、模型容器４の周囲の面の一部に厚紙６を配設して装飾効果を高めることもできる。
【００２２】
菓子容器２と模型容器４は、通常略同一の大きさに製作される。そして、菓子容器２と模型容器４は結束材７たる紐やリボンにより結合される。紐やリボン等の結束材７には慶弔事の性格に応じて種々の色彩が付される。例えば結婚式の引き出物に供する場合であれば、金色や銀色の色彩が付される。
【００２３】
立体模型３は、通常厚紙を切り抜いたり折り曲げることにより製作される。立体模型３としての具体的形態は、結婚式の引き出物として贈答する場合であれば、例えばキリスト教会の建物模型を紙細工やプラスチック成形により製作したものが採用される。結婚式場を提供する業者としては、予め何種類かの立体模型３を用意しておき、新郎新婦の好みに合わせて立体模型３を選択してもらうことができる。
【００２４】
一方、立体模型３はレディメイドのものではなく、新郎新婦の希望を聞いてオリジナルなオーダーメイドものを提供することもできる。すなわち、立体模型３は厚紙を切り抜いたり折り曲げるだけで製作することができ、デザインの自由度が大きいことから、個々の新郎新婦希望を聞いて希望に沿った立体模型３を提供することも可能である。このことにより他人とは一味違った引き出物を贈ることができ、新郎新婦にとっても高い満足感が得られる。
【００２５】
本実施例によれば、個性的であるとともに、贈られる者に贈答者の気持ちを伝え、結婚式等の想い出が心に強く残る贈答品容器１を提供することができる。
【００２６】
図２は、本考案の第二実施例を示す斜視図である。この実施例における贈答品容器１は、２個の菓子容器２と1個の模型容器４とからなる。その他の点においては第一実施例に示した贈答品容器１と共通する。菓子容器２と模型容器４の配置の組み合わせは、図２に示すように模型容器４を２つの菓子容器２の間に挟むように配置することもできるが、他の配置とすることもできる。すなわち、２つの菓子容器２を並べた左右の端部に模型容器４を配置することもできる。
【００２７】
本実施例によれば上記第一実施例と同様の効果を奏することができる他、菓子容器２と模型容器４の組み合わせの自由度が大きくなり、贈答品容器全体１としてのデザインの多様性を持たせることができる。
【００２８】
以上、本考案を実施例に基づいて説明したが、本考案は上記した実施例に限定されるものではなく、種々の変形実施をすることができる。例えば、上記の実施例では贈答品として、結婚式の引き出物として菓子類を贈る例について説明をしたが、贈答品は結婚式等の慶弔用菓子類に限られるものではなく、慶弔用以外の小物類であっても適用できることは言うまでもない。また、上記の実施例では菓子容器と模型容器を横に並べて結合しているが、菓子容器と模型容器を縦に段積みして結合することもできる。
【図面の簡単な説明】
【００２９】
【図１】本考案の第一実施例を示す斜視図である。
【図２】本考案の第二実施例を示す斜視図である。
【符号の説明】
【００３０】
１  贈答品容器
２  菓子容器
３  立体模型
４  模型容器
５  透明部材
７  結束材
【図１】
0003118869.tif 000003
【図２】
0003118869.tif 000004